(57)【要約】【課題】ビデオカメラ装置が光ディスク記録再生装置に載置されている場合には、載置された情報記録・再生装置の重量の影響により、光ディスク装置の振動検出が正常に行えないため、光ディスクの回転数を適切な状態に制御できずに過大な振動が発生してしまう。【解決手段】ビデオカメラ装置１５０が、光ディスク装置１０１に載置されているか否かを検出して、載置されている場合には、前記ビデオカメラ装置が、インターフェイス手段を介して、光ディスク装置１０１の最大回転速度を変更する。【選択図】図１
2010033640.tif 000002
【特許請求の範囲】
【請求項１】
リムーバブル光ディスク媒体を記録再生する光ディスク装置とインターフェイス手段を介して接続し、音声・映像・データなどの情報を記録・再生する情報記録・再生装置において、
前記光ディスク装置は、装置内に装填された光ディスクの最大回転速度を制御する回転速度制御手段を備え、
前記情報記録・再生装置は、
情報記録・再生装置が光ディスク装置に載置されているか、否かを検出する載置検出手段と、
前記載置検出手段の検出結果に応じて前記光ディスク装置の回転速度制御手段の最大回転速度を変更する様前記インターフェイス手段を通じて指令する速度制御手段と、
を有することを特徴とする情報記録・再生装置。
【請求項２】
リムーバブル光ディスク媒体を記録再生する光ディスク装置とインターフェイス手段を介して接続し、音声・映像・データなどの情報を記録・再生する情報記録・再生装置において、
前記光ディスク装置は、光ディスクの回転速度を検出する回転速度検出手段と、装置内に装填された光ディスクが予め定めた回転速度で回転しているときの振動を検出して閾値と比較することにより振動量が一定以下となるよう制御を行う回転速度制御手段とを備え、
前記情報記録・再生装置は、
情報記録・再生装置が光ディスク装置に載置されているか、否かを検出する載置検出手段と、
前記載置検出手段の検出結果に応じて前記光ディスク装置の回転速度制御手段の振動検出を行う閾値を変更する様前記インターフェイス手段を通じて指令する速度制御手段と、
を有することを特徴とする情報記録・再生装置。
【請求項３】
リムーバブル光ディスク媒体を記録再生する光ディスク装置とインターフェイス手段を介して接続し、音声・映像・データなどの情報を記録・再生する情報記録・再生装置において、
前記情報記録・再生装置は、
情報記録・再生装置が光ディスク装置に載置されているか、否かを検出する載置検出手段と、
前記情報記録・再生装置が前記光ディスク装置上に載置されていると検出された場合には、警告メッセージを表示して記録・再生動作を一時停止する制御手段と、
を有することを特徴とする情報記録・再生装置。
【請求項４】
前記情報記録・再生装置は、前記光ディスク装置内に装填されたリムーバブル光ディスク媒体内の音声・映像情報を再生すると共に、情報記録・再生装置内の記憶手段に記憶された音声・映像情報を光ディスク装置内のリムーバブル光ディスク媒体に記録または、再生する機能を有すること、
を特徴とする請求項１から３に記載の情報記録・再生装置。
【請求項５】
前記載置検出手段は、
前記光ディスク装置の上面に設置されたセンサ手段の検出結果を前記インターフェイス手段を介して検出することにより載置を検出すること、
を特徴とする請求項１から３に記載の情報記録・再生装置。
【請求項６】
前記載置検出手段は、
前記光ディスク装置の上面に設けた情報記録・再生装置を前記光ディスク装置の上面に固定する固定手段に情報記録・再生装置を固定したことを検出する固定検出手段を設け、前記固定検出手段の検出結果を前記インターフェイス手段を介して得ることにより載置を検出すること、
を特徴とする請求項１から３に記載の情報記録・再生装置。
【請求項７】
前記載置検出手段は、
前記光ディスク装置の上面に設設けた情報記録・再生装置を前記光ディスク装置の上面に固定する固定手段に前記情報記録・再生装置を固定したことを検出する固定検出手段を前記情報記録・再生装置の固定面に設けて、前記固定検出手段の検出結果をもって載置を検出すること、
を特徴とする請求項１から３に記載の情報記録・再生装置。
【請求項８】
前記載置検出手段は、
前記光ディスク装置の上面に設けた情報記録・再生装置を前記光ディスク装置の上面に固定するとともに、前記インターフェイス手段の接続部を兼ねる固定手段に、情報記録・再生装置を固定することにより前記インターフェイス手段の接続が確立し、インターフェイス手段の接続確立をもって載置を検出すること、
を特徴とする請求項１から３に記載の情報記録・再生装置。
【請求項９】
前記光ディスク装置は、光ディスクの回転速度を検出する回転速度検出手段と、装置内に装填された光ディスクが予め定めた回転速度で回転しているときの振動を検出して閾値と比較することにより振動量が一定以下となるよう制御を行う回転速度制御手段とを備え、
前記載置検出手段は、
情報記録・再生装置に加わる加速度を検出する加速度検出手段と、
前記加速度検出手段の検出結果から前記光ディスク装置が振動を検出する光ディスクの回転速度での振動加速度に相当する特定の周波数成分を抽出するフィルタ手段と、
前記インターフェイス手段より光ディスク装置の回転速度検出手段の回転速度情報を得、前記フィルタ手段により前記加速度検出手段のディスク回転速度に相当する周波数成分を抽出し、閾値と比較することにより、前記光ディスク装置に一定以上の振動が発生しており、かつ情報記録・再生装置が光ディスク装置に載置されているか、否かを検出すること、
を特徴とする請求項１から３記載の情報記録・再生装置。
【請求項１０】
前記光ディスク装置は、光ディスクの回転速度を検出する回転速度検出手段と、装置内に装填された光ディスクが予め定めた回転速度で回転しているときの振動を検出して閾値と比較することにより振動量が一定以下となるよう制御を行う回転速度制御手段とを備え、
前記載置検出手段は、
情報記録・再生装置に加わる加速度を検出する加速度検出手段と、
前記加速度検出手段の出力より現在の加速度の周波数または、周波数及びレベルを検出する周波数検出手段と、
前記周波数検出手段の検出する加速度の周波数または、周波数及びレベルの変化により、前記光ディスク装置に一定以上の振動が発生しており、かつ情報記録・再生装置が光ディスク装置に載置されているか、否かを検出すること、
を特徴とする請求項１から３記載の情報記録・再生装置。
【請求項１１】
前記光ディスク装置は、光ディスクの回転速度を検出する回転速度検出手段と、装置内に装填された光ディスクが予め定めた１つ以上の回転速度で回転しているときの振動を検出して閾値と比較することにより振動量が一定以下となるよう制御を行う回転速度制御手段と、
前記インターフェイス手段を介して前記光ディスクを起動中であることを情報記録・再生装置に通知する起動中情報通知手段と、を備え、
前記載置検出手段は、
情報記録・再生装置に加わる加速度を検出する加速度検出手段と、
前記加速度検出手段の出力の前記光ディスク装置が振動値を検出する１つ以上の回転数に対応する周波数成分を抽出する１つ以上のフィルタ手段と、
前記光ディスク装置が装置内に装填されたリムーバブル光ディスク媒体を起動している間の前記１つ以上のフィルタ手段の出力値のそれぞれの最大値より、前記光ディスク装置に一定以上の振動が発生しており、かつ情報記録・再生装置が光ディスク装置に載置されているか、否かを検出すること、
を特徴とする請求項１から３記載の情報記録・再生装置。
【請求項１２】
リムーバブル光ディスク媒体を記録再生する光ディスク装置とインターフェイス手段を介して接続し、光ディスク装置内に装填された光ディスクに記録された音声・映像情報を再生すると共に、装置内部に設けられたハードディスク記憶装置に記録した音声・映像情報を前記インターフェイス手段を介して送信し、光ディスク媒体に記録するビデオカメラ装置において、
前記光ディスク装置は、装置内に装填された光ディスクの最大回転速度を制御する回転速度制御手段と、前記インターフェイス手段を介して前記光ディスクを起動中であることを情報記録・再生装置に通知する起動中情報通知手段と、を備え、
前記ビデオカメラ装置は、
前記ハードディスク装置保護のために振動・衝撃・落下などを検出して保護動作を行う為の加速度センサ手段と、
前記起動中情報通知手段により前記光ディスク装置が光ディスク媒体を起動中であることを検出した場合には、前記ハードディスク装置のヘッド待避を行うなどして保護状態とし、前記加速度センサの振動・衝撃・落下などを検出する閾値を変更することで、前記光ディスク装置に一定以上の振動が発生しており、かつ情報記録・再生装置が光ディスク装置に載置されているか、否かを検出する載置検出手段と、
前記載置検出手段の検出結果に応じて前記光ディスク装置の回転速度制御手段の最大回転速度を変更する様前記インターフェイス手段を通じて指令する速度制御手段と、
を有することを特徴とするビデオカメラ装置。
【請求項１３】
リムーバブル光ディスク媒体を記録再生する光ディスク装置とインターフェイス手段を介して接続し、光ディスク装置内に装填された光ディスクに記録された音声・映像情報を再生すると共に、装置内部に設けられたハードディスク記憶装置に記録した音声・映像情報を前記インターフェイス手段を介して送信し、光ディスク媒体に記録するビデオカメラ装置において、
前記光ディスク装置は、光ディスクの回転速度を検出する回転速度検出手段と、
装置内に装填された光ディスクが予め定めた１つ以上の回転速度で回転しているときの振動を検出して閾値と比較することにより振動量が一定以下となるよう制御を行う回転速度制御手段と、前記インターフェイス手段を介して前記光ディスクを起動中であることを情報記録・再生装置に通知する起動中情報通知手段と、を備え、
前記ビデオカメラ装置は、
前記ハードディスク装置保護のために振動・衝撃・落下などを検出して保護動作を行う為の加速度センサ手段と、
前記起動中情報通知手段により前記光ディスク装置が光ディスク媒体を起動中であることを検出した場合には、前記ハードディスク装置のヘッド待避を行うなどして保護状態とし、前記加速度センサの振動・衝撃・落下などを検出する閾値を変更することで、前記光ディスク装置に一定以上の振動が発生しており、かつ情報記録・再生装置が光ディスク装置に載置されているか、否かを検出する載置検出手段と、
前記載置検出手段の検出結果に応じて前記光ディスク装置の回転速度制御手段の振動検出を行う閾値を変更する様前記インターフェイス手段を通じて指令する速度制御手段と、
を有することを特徴とするビデオカメラ装置。
【請求項１４】
リムーバブル光ディスク媒体を記録再生する光ディスク装置とインターフェイス手段を介して接続し、光ディスク装置内に装填された光ディスクに記録された音声・映像情報を再生すると共に、装置内部に設けられたハードディスク記憶装置に記録した音声・映像情報を前記インターフェイス手段を介して送信し、光ディスク媒体に記録するビデオカメラ装置において、
前記光ディスク装置は、前記光ディスク装置は、装置内に装填された光ディスクの最大回転速度を制御する回転速度制御手段と、前記インターフェイス手段を介して前記光ディスクを起動中であることを情報記録・再生装置に通知する起動中情報通知手段と、を備え、
前記ビデオカメラ装置は、
前記ハードディスク装置保護のために振動・衝撃・落下などを検出して保護動作を行う為の加速度センサ手段と、
前記起動中情報通知手段により前記光ディスク装置が光ディスク媒体を起動中であることを検出した場合には、前記ハードディスク装置のヘッド待避を行うなどして保護状態とし、前記加速度センサの振動・衝撃・落下などを検出する閾値を変更することで、前記光ディスク装置に一定以上の振動が発生しており、かつ情報記録・再生装置が光ディスク装置に載置されているか、否かを検出する載置検出手段と、
前記情報記録・再生装置が前記光ディスク装置上に載置されていると検出された場合には、警告メッセージを表示して記録・再生動作を一時停止する制御手段と、
を有することを特徴とするビデオカメラ装置。
【請求項１５】
リムーバブル光ディスク媒体を記録再生する光ディスク装置とインターフェイス手段を介して接続し、音声・映像・データなどの情報を記録・再生する情報記録・再生装置において、
前記光ディスク装置は、装置内に装填された光ディスクの最大回転速度を制御する回転速度制御手段を備え、
情報記録・再生装置が光ディスク装置に載置されているか、否かを検出するステップと、
前記検出結果に応じて前記光ディスク装置の回転速度制御手段の最大回転速度を変更する様前記インターフェイス手段を介して指令するステップと、
を有することを特徴とする情報記録・再生装置による光ディスク装置の速度制御方法。
【請求項１６】
リムーバブル光ディスク媒体を記録再生する光ディスク装置とインターフェイス手段を介して接続し、音声・映像・データなどの情報を記録・再生する情報記録・再生装置において、
前記光ディスク装置は、光ディスクの回転速度を検出する回転速度検出手段と、装置内に装填された光ディスクが予め定めた回転速度で回転しているときの振動を検出して閾値と比較することにより振動量が一定以下となるよう制御を行う回転速度制御手段とを備え、
情報記録・再生装置が光ディスク装置に載置されているか、否かを検出するステップと、
前記検出結果に応じて前記光ディスク装置の回転速度制御手段の最大回転速度を変更する様前記インターフェイス手段を介して指令するステップと、
を有することを特徴とする情報記録・再生装置による光ディスク装置の速度制御方法。
【請求項１７】
リムーバブル光ディスク媒体を記録再生する光ディスク装置とインターフェイス手段を介して接続し、音声・映像・データなどの情報を記録・再生する情報記録・再生装置において、
情報記録・再生装置が光ディスク装置に載置されているか、否かを検出するステップと、
前記情報記録・再生装置が前記光ディスク装置上に載置されていると検出された場合には、警告メッセージを表示して記録・再生動作を一時停止するステップと、
を有することを特徴とする情報記録・再生装置の制御方法。
【請求項１８】
前記情報記録・再生装置は、前記光ディスク装置内に装填されたリムーバブル光ディスク媒体内の音声・映像情報を再生すると共に、情報記録・再生装置内の記憶手段に記憶された音声・映像情報を光ディスク装置内のリムーバブル光ディスク媒体に記録または、再生する機能を有すること、
を特徴とする請求項１５から１７に記載の情報記録・再生装置による光ディスク装置の速度制御方法及び情報記録・再生装置の制御方法。
【請求項１９】
前記載置を検出するステップは、
前記光ディスク装置の上面に設置されたセンサ手段により光ディスク装置が載置情報を検出し、その検出結果を前記インターフェイス手段を介して得ることにより載置を検出すること、
を特徴とする請求項１５から１７に記載の情報記録・再生装置による光ディスク装置の速度制御方法及び情報記録・再生装置の制御方法。
【請求項２０】
前記載置を検出するステップは、
前記光ディスク装置の上面に設けた情報記録・再生装置を固定するための固定手段に、情報記録・再生装置を固定したことを検出する固定検出手段を設け、前記固定検出手段の検出結果を前記インターフェイス手段を介して得ることにより載置を検出すること、
を特徴とする請求項１５から１７に記載の情報記録・再生装置による光ディスク装置の速度制御方法及び情報記録・再生装置の制御方法。
【請求項２１】
前記載置を検出するステップは、
前記光ディスク装置の上面に設けた情報記録・再生装置を前記光ディスク装置の上面に固定するとともに、前記インターフェイス手段の接続部を兼ねる固定手段に、情報記録・再生装置を固定することにより前記インターフェイス手段の接続が確立し、インターフェイス手段の接続確立をもって載置を検出すること、
を特徴とする請求項１５から１７に記載の情報記録・再生装置による光ディスク装置の速度制御方法及び情報記録・再生装置の制御方法。
【請求項２２】
前記光ディスク装置は、光ディスクの回転速度を検出する回転速度検出手段と、装置内に装填された光ディスクが予め定めた回転速度で回転しているときの振動を検出して閾値と比較することにより振動量が一定以下となるよう制御を行う回転速度制御手段とを備え、
前記載置を検出するステップは、
情報記録・再生装置に加わる加速度を検出するステップと、
前記加速度の検出結果から前記光ディスク装置が振動を検出する光ディスクの回転速度での振動加速度に相当する特定の周波数成分を抽出するステップと、
前記インターフェイス手段より光ディスク装置の回転速度検出手段の回転速度情報を得るステップと、
前記抽出したディスク回転速度に相当する周波数成分を閾値と比較することにより、前記光ディスク装置に一定以上の振動が発生しており、かつ情報記録・再生装置が光ディスク装置に載置されているか、否かを検出するステップと、
を含むことを特徴とする請求項１５から１７記載の情報記録・再生装置による光ディスク装置の速度制御方法及び情報記録・再生装置の制御方法。
【請求項２３】
前記光ディスク装置は、光ディスクの回転速度を検出する回転速度検出手段と、装置内に装填された光ディスクが予め定めた回転速度で回転しているときの振動を検出して閾値と比較することにより振動量が一定以下となるよう制御を行う回転速度制御手段とを備え、
前記載置を検出するステップは、
情報記録・再生装置に加わる加速度を検出するステップと、
前記加速度の検出結果より現在の加速度の周波数または、周波数及びレベルを検出するステップと、
前記検出手段の検出する加速度の周波数または、周波数及びレベルの変化により、前記光ディスク装置に一定以上の振動が発生しており、かつ情報記録・再生装置が光ディスク装置に載置されているか、否かを検出するステップと、
を含むことを特徴とする請求項１５から１７記載の情報記録・再生装置による光ディスク装置の速度制御方法及び情報記録・再生装置の制御方法。
【請求項２４】
前記光ディスク装置は、光ディスクの回転速度を検出する回転速度検出手段と、装置内に装填された光ディスクが予め定めた１つ以上の回転速度で回転しているときの振動を検出して閾値と比較することにより振動量が一定以下となるよう制御を行う回転速度制御手段と、
前記インターフェイス手段を介して前記光ディスクを起動中であることを情報記録・再生装置に通知する起動中情報通知手段と、を備え、
前記載置を検出するステップは、
前記情報記録・再生装置に加わる加速度信号を検出するステップと、
前記加速度信号から前記光ディスク装置が振動値を検出する１つ以上の回転数に対応する周波数成分を抽出するステップと、
前記光ディスク装置が装置内に装填されたリムーバブル光ディスク媒体を起動中であることを前記インターフェイス手段を介して検出するステップと、
前記光ディスク媒体起動中の前記抽出した１つ以上の回転数に対応する周波数成分のそれぞれの最大値を検出するステップと、
前記それぞれの最大値より前記光ディスク装置に一定以上の振動が発生しており、かつ情報記録・再生装置が光ディスク装置に載置されているか、否かを検出するステップと、
を含むことを特徴とする請求項１５から１７記載の情報記録・再生装置による光ディスク装置の速度制御方法及び情報記録・再生装置の制御方法。
【請求項２５】
リムーバブル光ディスク媒体を記録再生する光ディスク装置とインターフェイス手段を介して接続し、光ディスク装置内に装填された光ディスクに記録された音声・映像情報を再生すると共に、装置内部に設けられたハードディスク記憶装置に記録した音声・映像情報を前記インターフェイス手段を介して送信し、光ディスク媒体に記録するビデオカメラ装置において、
前記光ディスク装置は、装置内に装填された光ディスクの最大回転速度を制御する回転速度制御手段と、前記インターフェイス手段を介して前記光ディスクを起動中であることを情報記録・再生装置に通知する起動中情報通知手段と、を備え、
前記ビデオカメラ装置は、
通常動作時は前記ハードディスク装置保護のために搭載された加速度センサの検出結果により振動・衝撃・落下などを検出して保護動作を行うステップと、
前記起動中情報通知手段により前記光ディスク装置が光ディスク媒体を起動中であることを検出した場合には、前記ハードディスク装置のヘッド待避を行うなどして保護状態とするステップと、前記加速度センサの振動・衝撃・落下などを検出する閾値を変更することで前記光ディスク装置に一定以上の振動が発生しており、かつ情報記録・再生装置が光ディスク装置に載置されているか、否かを検出するステップと、
前記検出結果に応じて前記光ディスク装置の回転速度制御手段の最大回転速度を変更する様前記インターフェイス手段を介して指令するステップと、
を有することを特徴とするビデオカメラ装置による光ディスク装置の速度制御方法。
【請求項２６】
リムーバブル光ディスク媒体を記録再生する光ディスク装置とインターフェイス手段を介して接続し、光ディスク装置内に装填された光ディスクに記録された音声・映像情報を再生すると共に、装置内部に設けられたハードディスク記憶装置に記録した音声・映像情報を前記インターフェイス手段を介して送信し、光ディスク媒体に記録するビデオカメラ装置において、
前記光ディスク装置は、光ディスクの回転速度を検出する回転速度検出手段と、
装置内に装填された光ディスクが予め定めた１つ以上の回転速度で回転しているときの振動を検出して閾値と比較することにより振動量が一定以下となるよう制御を行う回転速度制御手段と、前記インターフェイス手段を介して前記光ディスクを起動中であることを情報記録・再生装置に通知する起動中情報通知手段と、を備え、
前記ビデオカメラ装置は、
通常動作時は前記ハードディスク装置保護のために搭載された加速度センサの検出結果により振動・衝撃・落下などを検出して保護動作を行うステップと、
前記起動中情報通知手段により前記光ディスク装置が光ディスク媒体を起動中であることを検出した場合には、前記ハードディスク装置のヘッド待避を行うなどして保護状態とするステップと、前記加速度センサの振動・衝撃・落下などを検出する閾値を変更することで前記光ディスク装置に一定以上の振動が発生しており、かつ情報記録・再生装置が光ディスク装置に載置されているか、否かを検出するステップと、
前記検出結果に応じて前記光ディスク装置の回転速度制御手段の最大回転速度を変更する様前記インターフェイス手段を介して指令するステップと、
を有することを特徴とするビデオカメラ装置による光ディスク装置の速度制御方法。
【請求項２７】
リムーバブル光ディスク媒体を記録再生する光ディスク装置とインターフェイス手段を介して接続し、光ディスク装置内に装填された光ディスクに記録された音声・映像情報を再生すると共に、装置内部に設けられたハードディスク記憶装置に記録した音声・映像情報を前記インターフェイス手段を介して送信し、光ディスク媒体に記録するビデオカメラ装置において、
前記光ディスク装置は、前記光ディスク装置は、装置内に装填された光ディスクの最大回転速度を制御する回転速度制御手段と、前記インターフェイス手段を介して前記光ディスクを起動中であることを情報記録・再生装置に通知する起動中情報通知手段と、を備え、
前記ビデオカメラ装置は、
通常動作時は前記ハードディスク装置保護のために搭載された加速度センサの検出結果により振動・衝撃・落下などを検出して保護動作を行うステップと、
前記起動中情報通知手段により前記光ディスク装置が光ディスク媒体を起動中であることを検出した場合には、前記ハードディスク装置のヘッド待避を行うなどして保護状態とするステップと、前記加速度センサの振動・衝撃・落下などを検出する閾値を変更することで前記光ディスク装置に一定以上の振動が発生しており、かつ情報記録・再生装置が光ディスク装置に載置されているか、否かを検出するステップと、
前記検出結果により前記情報記録・再生装置が前記光ディスク装置上に載置されていると検出された場合には、警告メッセージを表示して記録・再生動作を一時停止するステップと、
を有することを特徴とするビデオカメラ装置の制御方法。
【発明の詳細な説明】
【技術分野】
【０００１】
本発明は、情報記録・再生装置に係り、特に外付けタイプの光ディスク装置をインターフェイス手段を介して接続し、情報記録・再生装置内のデータを光ディスク媒体に記録、情報ディスク媒体内のデータを再生するビデオカメラ装置などの音声・映像情報を記録再生する装置に関する。
【背景技術】
【０００２】
近年、ビデオカメラ装置は記録媒体がテープメディアから、光ディスク媒体に直接記録するものや、交換可能なＳＤメモリカードなどの半導体メモリ、本体内に設置された固定ディスク装置に記録するものなど様々な記録媒体に置き換わりつつある。そのなかでも、半導体メモリに記録するものや装置内の固定ディスク装置に記録するものに対しては、ＳＤメモリカードなどの半導体メモリが比較的高価であることや、比較的大容量の固定ディスク装置でも、が容量が有限であることからＰＣとの接続によりデータを編集して他の光ディスク媒体などに保存する方法がとられることが一般的である。
【０００３】
しかしながら、ＰＣでの操作が煩雑であることから、ビデオカメラ装置に直接光ディスク記録再生装置をＵＳＢなどのインターフェイス手段を介して接続してビデオカメラ装置内の映像・音声情報を光ディスクに記録する方法もオプション機器として一般的となっている。
【０００４】
ビデオカメラ装置などの情報記録・再生装置にインターフェイス手段を用いて光ディスク記録再生装置との接続を行った場合には、接続状態を検出して情報記録・再生装置の動作状態を通常モードから、光ディスク記録再生装置へのデータ転送モードへ自動的に変更するメニューが表示されるものが一般的であるが、これは単にインターフェイス手段の物理的接続状態を検出するのみの動作に留まる。
【０００５】
また、固定ディスク装置は振動や衝撃に弱いため、固定ディスク装置を搭載したタイプのビデオカメラ装置などの情報記録・再生装置では、不慮の落下などの事故発生に対処する為に、加速度センサを搭載し、センサの出力より装置の落下などに危機状態を検出した場合には、固定ディスク装置のヘッドを待避させることによりヘッドのディスクへの衝突による故障を防止する機能を持ったものが主流となっている。
【０００６】
一方、光ディスク装置は使用する光ディスクの偏重心などの状態により、装置で使用可能な最大速度で光ディスクを回転させると、ディスクの偏重心による振動により、騒音が発生したり、サーボが不安定になり記録・再生が正常に行えない可能性があるため、光ディスクが装置に装填されて起動動作を行う際に、ディスクの偏重心による振動を検出して、振動が大きい場合には記録・再生速度を制限することが一般的である。振動の検出には、光ディスク装置内に加速度センサを設ける方法と、振動発生時のトラック横断を計数する方法が一般的である。以下にそれぞれの従来例を示す。
【０００７】
図８は、従来の加速度センサを用いた振動検出を行う光ディスク再生装置８００のブロック図を示す。８０１は基台、８０２は基台８０１に取り付けられたディスクモーター、８０３は基台８０１を支えているインシュレータ、８０４はディスクモーター８０２に取り付けられたディスク、８０５は基台８０１に取り付けられた加速度センサ、８０６は加速度センサ８０５の出力によって偏重心量を判定する測定部である。
【０００８】
ディスクモーター８０２をあらかじめ定められた回転数で回転させると、ディスク８０４の偏重心量に比例する遠心力が発生する。インシュレータ８０３で支えられた基台８０１は、ディスク８０４の偏重心量、基台８０１およびそれに搭載された構成要素全体の質量、ならびにインシュレータ８０３のばね定数によって決まる振幅で振動する。
【０００９】
基台８０１の振動は、加速度センサ８０５によって電気信号に変換される。測定部８０６は、加速度センサ８０５によって変換された電気信号に基づいて基台８０１の振動振幅を測定する。
そして、測定された振動振幅をしきい値と比較することにより光ディスク装置のディスクの最大回転速度を決定する。
【００１０】
図９は、特開２０００−１１３５８１に記載された、従来のトラックカウントを用いた振動検出を行う光ディスク再生装置９００のブロック図を示す。図７において、８０１は基台、８０２は基台８０１に固定されたディスクモーター、８０３は基台８０１を支えているインシュレータ、８０４はディスクモーター８０２に装着されているディスク、９０１は光ヘッド、９０２は基台８０１から光ヘッド９０１を懸架する弾性材、９０３は光ヘッド９０１からディスク８０４に対して照射されている光ビーム、９０４はディスク８０４の情報記録面８０４Ａに一定ピッチの同心円あるいは螺旋状に生成されている情報記録トラック、９０５は光ビーム９０３が情報記録トラック９０４を横断する際に再生された信号からトラッククロスパルス及び横断方向信号を発生するトラッククロス検出部、９０６は上記トラッククロスパルスを計数する計数部、９０７は計数部９０６の計数結果から偏重心量を判定する測定部、９０８はディスクモーター２の回転数を制御すると共に測定部９０７に対して回転角度情報を出力するモーター制御部である。
【００１１】
光ヘッド９０１は、ディスク８０４の情報記録面８０４Ａ上に光ビーム９０３の焦点が位置するように、ディスク８０４からの距離が一定に保たれる。ディスク８０４の半径方向（矢印Ｒ方向）の光ヘッド９０１のディスク８０４に対する相対位置は、金属、樹脂、あるいはゴムなどの材料によって構成されている弾性材９０２のバネ定数と光ヘッド９０１の質量とによって決まる固有振動数ｆｏＡで表される振動特性を持つ。
【００１２】
基台８０１は、金属、樹脂、あるいはゴムなどの材料によって構成されているインシュレータ８０３によって支えられる。ディスク８０４の回転によって発生する遠心力がディスクモーター８０２を通じて基台８０１に伝えられると、基台８０１および基台８０１に搭載された光ヘッド９０１、ディスクモーター８０２およびディスク８０４を含む構成要素全体の質量とインシュレータ８０３のばね定数とによって決まる固有振動数ｆｏＭで表される特性に基づいて基台８０１は振動する。
【００１３】
モーター制御部９０８はディスクモーター８０２を、上記固有振動数ｆｏＡよりも十分低い第１の回転数で回転させる。ディスクモーター８０２に装着された光ディスク８０４は第１の回転数で回転する。
【００１４】
固有振動数ｆｏＡよりも十分低い第１の回転数では、光ヘッド９０１は基台８０１と一体となって振動する。光ヘッド９０１と光ディスク８０４との相対位置はほとんど変化しない。このため、固有振動数ｆｏＡよりも十分低い第１の回転数では、光ビーム９０３は情報記録トラック９０４の偏心量に対応する数の情報記録トラック９０４を横切る。光ビーム９０３は横切った情報記録トラック９０４の数に対応するトラッククロスを発生する。
【００１５】
トラッククロス検出部９０５は、光ヘッド９０１の再生信号に基づいて、光ビーム９０３が横切った情報記録トラック９０５の数に対応するトラッククロスを検出する。トラッククロス検出部９０５は、検出したトラッククロスに対応するトラッククロスパルスを生成する。トラッククロス検出部９０５は、生成したトラッククロスパルスを計数部９０６に出力する。
【００１６】
計数部９０６は、モーター制御部９０８からの回転角度情報に基づいてディスク８０４の１回転間のトラッククロスパルスをカウントする。測定部９０７は、計数部９０６によってカウントされたディスク８０４の１回転間のトラッククロスパルスのカウント結果Ｎ１を記憶する。
【００１７】
次に、モーター制御部９０８は固有振動数ｆｏＡよりも高く固有振動数ｆｏＭより低い第２の回転数でディスクモーター８０２を回転させる。 ディスク８０４の偏重心によって遠心力がディスク８０４に発生する。基台８０１は、ディスク８０４の偏重心量と、基台８０１およびそれに搭載された構成要素全体の質量と、インシュレータ８０３のばね定数とによって決まる振幅で振動する。
固有振動数ｆｏＡよりも高く固有振動数ｆｏＭより低い第２の回転数でディスクモーター８０２が回転すると、基台８０１、ディスクモーター８０２およびディスク８０４のみが一体で振動し、光ヘッド９０１は静止状態となる。このため、ディスク８０４と光ヘッド９０１との間の相対変位は、基台８０１の振動変位と等しくなる。この結果、光ビーム９０３は、情報記録トラック９０４の偏心量と基台８０１の振動振幅とを加えた量に相当するトラック数のトラッククロスを発生する。
【００１８】
トラッククロス検出部９０５は、光ヘッド９０１の再生信号に基づいて、情報記録トラック９０４の偏心量と基台８０１の振動振幅とを加えた量に相当するトラック数に対応するトラッククロスを検出する。トラッククロス検出部９０５は、情報記録トラック９０４の偏心量と基台８０１の振動振幅とを加えた量に相当するトラック数に対応するトラッククロスパルスを生成する。トラッククロス検出部９０５は、生成したトラッククロスパルスを計数部９０６に出力する。
【００１９】
計数部９０６は、モーター制御部９０８からの回転角度情報に基づいてディスク８０４の１回転間のトラッククロスパルスをカウントする。測定部９０７は、計測部９０６によりカウントされたカウント結果Ｎ２からカウント結果Ｎ１を減算して、基台８０１の振動振幅を求める。
【００２０】
そして、測定された振動振幅をディスクの種類毎に用意されたしきい値と比較することにより光ディスク装置のディスクの最大回転速度を決定する。
【特許文献１】特開２０００−１１３５８１号公報
【発明の開示】
【発明が解決しようとする課題】
【００２１】
従来の振動センサ、トラックカウントを用いた振動検出はいずれも光ディスク装置単体での動作を前提としており、光ディスク装置内部の振動状態を検出して速度制限を行う様になっている。
【００２２】
一方、ビデオカメラ装置などの情報記録・再生装置と外付けタイプの光ディスク装置を組み合わせた場合には、通常の使用状態では光ディスク装置単体での振動検出動作となるが、情報記録・再生装置を光ディスク装置上に載置した場合には、載置された情報記録・再生装置の重量の影響により、光ディスク装置の振動検出が正常に行えない。この様な場合、光ディスクの回転数を適切な状態に制御できずに過大な振動が発生してしまう。
【００２３】
本発明は、この問題を解決するもので、光ディスクの上に載置された場合でも、適切な回転速度制御を行うことで、過大な振動が発生しない情報記録・再生装置を提供することを目的としたものである。
【課題を解決するための手段】
【００２４】
そしてこの目的を達成するために本発明は、リムーバブル光ディスク媒体を記録再生する光ディスク装置とインターフェイス手段を介して接続し、音声・映像・データなどの情報を記録・再生する情報記録・再生装置において、前記光ディスク装置は、装置内に装填された光ディスクの最大回転速度を制御する回転速度制御手段を備え、前記記録・再生装置は、情報記録・再生装置が光ディスク装置に載置されているか、否かを検出する載置検出手段と、前記載置検出手段の検出結果に応じて前記光ディスク装置の回転速度制御手段の最大回転速度を変更する様前記インターフェイス手段を通じて指令する速度制御手段と、を有することを特徴とするものである。
【００２５】
また、本発明に記載の情報記録・再生装置は、リムーバブル光ディスク媒体を記録再生する光ディスク装置とインターフェイス手段を介して接続し、音声・映像・データなどの情報を記録・再生する情報記録・再生装置において、前記光ディスク装置は、光ディスクの回転速度を検出する回転速度検出手段と、装置内に装填された光ディスクが予め定めた回転速度で回転しているときの振動を検出して閾値と比較することにより振動量が一定以下となるよう制御を行う回転速度制御手段とを備え、前記情報記録・再生装置は、情報記録・再生装置が光ディスク装置に載置されているか、否かを検出する載置検出手段と、前記載置検出手段の検出結果に応じて前記光ディスク装置の回転速度制御手段の振動検出を行う閾値を変更する様前記インターフェイス手段を通じて指令する速度制御手段と、を有することを特徴とするものである。
【００２６】
また、本発明に記載の情報記録・再生装置は、リムーバブル光ディスク媒体を記録再生する光ディスク装置とインターフェイス手段を介して接続し、音声・映像・データなどの情報を記録・再生する情報記録・再生装置において、前記情報記録・再生装置は、情報記録・再生装置が光ディスク装置に載置されているか、否かを検出する載置検出手段と、前記情報記録・再生装置が前記光ディスク装置上に載置されていると検出された場合には、警告メッセージを表示して記録・再生動作を一時停止する制御手段と、を有することを特徴とするものである。
【００２７】
また、本発明に記載の情報記録・再生装置は、請求項１から３に記載の情報記録・再生装置において前記光ディスク装置内に装填されたリムーバブル光ディスク媒体内の音声・映像情報を再生すると共に、情報記録・再生装置内の記憶手段に記憶された音声・映像情報を光ディスク装置内のリムーバブル光ディスク媒体に記録または、再生する機能を有すること、を特徴とするものである。
また、本発明に記載の情報記録・再生装置は、請求項１から３に記載の情報記録・再生装置において、前記載置検出手段は、前記光ディスク装置の上面に設置されたセンサ手段の検出結果を前記インターフェイス手段を介して検出することにより載置を検出すること、を特徴とするものである。
また、本発明に記載の情報記録・再生装置は、請求項１から３に記載の情報記録・再生装置において、前記載置検出手段は、前記光ディスク装置の上面に設けた情報記録・再生装置を前記光ディスク装置の上面に固定する固定手段に情報記録・再生装置を固定したことを検出する固定検出手段を設け、前記固定検出手段の検出結果を前記インターフェイス手段を介して得ることにより載置を検出すること、を特徴とするものである。
【００２８】
また、本発明に記載の情報記録・再生装置は、請求項１から３に記載の情報記録・再生装置において、前記載置検出手段は、前記光ディスク装置の上面に設設けた情報記録・再生装置を前記光ディスク装置の上面に固定する固定手段に前記情報記録・再生装置を固定したことを検出する固定検出手段を前記情報記録・再生装置の固定面に設けて、前記固定検出手段の検出結果をもって載置を検出すること、を特徴とするものである。
また、本発明に記載の情報記録・再生装置は、請求項１から３に記載の情報記録・再生装置において、前記載置検出手段は、前記光ディスク装置の上面に設けた情報記録・再生装置を前記光ディスク装置の上面に固定するとともに、前記インターフェイス手段の接続部を兼ねる固定手段に、情報記録・再生装置を固定することにより前記インターフェイス手段の接続が確立し、インターフェイス手段の接続確立をもって載置を検出すること、を特徴とするものである。
【００２９】
また、本発明に記載の情報記録・再生装置は、請求項１から３に記載の情報記録・再生装置において、前記光ディスク装置は、光ディスクの回転速度を検出する回転速度検出手段と、装置内に装填された光ディスクが予め定めた回転速度で回転しているときの振動を検出して閾値と比較することにより振動量が一定以下となるよう制御を行う回転速度制御手段とを備え、前記載置検出手段は、情報記録・再生装置に加わる加速度を検出する加速度検出手段と、前記加速度検出手段の検出結果から前記光ディスク装置が振動を検出する光ディスクの回転速度での振動加速度に相当する特定の周波数成分を抽出するフィルタ手段と、前記インターフェイス手段より光ディスク装置の回転速度検出手段の回転速度情報を得、前記フィルタ手段により前記加速度検出手段のディスク回転速度に相当する周波数成分を抽出し、閾値と比較することにより、前記光ディスク装置に一定以上の振動が発生しており、かつ情報記録・再生装置が光ディスク装置に載置されているか、否かを検出すること、を特徴とするものである。
【００３０】
また、本発明に記載の情報記録・再生装置は、請求項１から３に記載の情報記録・再生装置において、前記光ディスク装置は、光ディスクの回転速度を検出する回転速度検出手段と、装置内に装填された光ディスクが予め定めた回転速度で回転しているときの振動を検出して閾値と比較することにより振動量が一定以下となるよう制御を行う回転速度制御手段とを備え、前記載置検出手段は、情報記録・再生装置に加わる加速度を検出する加速度検出手段と、前記加速度検出手段の出力より現在の加速度の周波数または、周波数及びレベルを検出する周波数検出手段と、前記周波数検出手段の検出する加速度の周波数または、周波数及びレベルの変化により、前記光ディスク装置に一定以上の振動が発生しており、かつ情報記録・再生装置が光ディスク装置に載置されているか、否かを検出すること、を特徴とするものである。
【００３１】
また、本発明に記載の情報記録・再生装置は、請求項１から３に記載の情報記録・再生装置において、前記光ディスク装置は、光ディスクの回転速度を検出する回転速度検出手段と、装置内に装填された光ディスクが予め定めた１つ以上の回転速度で回転しているときの振動を検出して閾値と比較することにより振動量が一定以下となるよう制御を行う回転速度制御手段と、前記インターフェイス手段を介して前記光ディスクを起動中であることを情報記録・再生装置に通知する起動中情報通知手段と、を備え、前記載置検出手段は、情報記録・再生装置に加わる加速度を検出する加速度検出手段と、前記加速度検出手段の出力の前記光ディスク装置が振動値を検出する１つ以上の回転数に対応する周波数成分を抽出する１つ以上のフィルタ手段と、前記光ディスク装置が装置内に装填されたリムーバブル光ディスク媒体を起動している間の前記１つ以上のフィルタ手段の出力値のそれぞれの最大値より、前記光ディスク装置に一定以上の振動が発生しており、かつ情報記録・再生装置が光ディスク装置に載置されているか、否かを検出すること、を特徴とするものである。
【００３２】
また、本発明に記載のビデオカメラ装置は、リムーバブル光ディスク媒体を記録再生する光ディスク装置とインターフェイス手段を介して接続し、光ディスク装置内に装填された光ディスクに記録された音声・映像情報を再生すると共に、装置内部に設けられたハードディスク記憶装置に記録した音声・映像情報を前記インターフェイス手段を介して送信し、光ディスク媒体に記録するビデオカメラ装置において、前記光ディスク装置は、装置内に装填された光ディスクの最大回転速度を制御する回転速度制御手段と、前記インターフェイス手段を介して前記光ディスクを起動中であることを情報記録・再生装置に通知する起動中情報通知手段と、を備え、前記ビデオカメラ装置は、前記ハードディスク装置保護のために振動・衝撃・落下などを検出して保護動作を行う為の加速度センサ手段と、前記起動中情報通知手段により前記光ディスク装置が光ディスク媒体を起動中であることを検出した場合には、前記ハードディスク装置のヘッド待避を行うなどして保護状態とし、前記加速度センサの振動・衝撃・落下などを検出する閾値を変更することで、前記光ディスク装置に一定以上の振動が発生しており、かつ情報記録・再生装置が光ディスク装置に載置されているか、否かを検出する載置検出手段と、前記載置検出手段の検出結果に応じて前記光ディスク装置の回転速度制御手段の最大回転速度を変更する様前記インターフェイス手段を通じて指令する速度制御手段と、を有することを特徴とするものである。
【００３３】
また、本発明に記載のビデオカメラ装置は、リムーバブル光ディスク媒体を記録再生する光ディスク装置とインターフェイス手段を介して接続し、光ディスク装置内に装填された光ディスクに記録された音声・映像情報を再生すると共に、装置内部に設けられたハードディスク記憶装置に記録した音声・映像情報を前記インターフェイス手段を介して送信し、光ディスク媒体に記録するビデオカメラ装置において、前記光ディスク装置は、光ディスクの回転速度を検出する回転速度検出手段と、装置内に装填された光ディスクが予め定めた１つ以上の回転速度で回転しているときの振動を検出して閾値と比較することにより振動量が一定以下となるよう制御を行う回転速度制御手段と、前記インターフェイス手段を介して前記光ディスクを起動中であることを情報記録・再生装置に通知する起動中情報通知手段と、を備え、前記ビデオカメラ装置は、前記ハードディスク装置保護のために振動・衝撃・落下などを検出して保護動作を行う為の加速度センサ手段と、前記起動中情報通知手段により前記光ディスク装置が光ディスク媒体を起動中であることを検出した場合には、前記ハードディスク装置のヘッド待避を行うなどして保護状態とし、前記加速度センサの振動・衝撃・落下などを検出する閾値を変更することで、前記光ディスク装置に一定以上の振動が発生しており、かつ情報記録・再生装置が光ディスク装置に載置されているか、否かを検出する載置検出手段と、前記載置検出手段の検出結果に応じて前記光ディスク装置の回転速度制御手段の振動検出を行う閾値を変更する様前記インターフェイス手段を通じて指令する速度制御手段と、を有することを特徴とするものである。
【００３４】
また、本発明に記載のビデオカメラ装置は、リムーバブル光ディスク媒体を記録再生する光ディスク装置とインターフェイス手段を介して接続し、光ディスク装置内に装填された光ディスクに記録された音声・映像情報を再生すると共に、装置内部に設けられたハードディスク記憶装置に記録した音声・映像情報を前記インターフェイス手段を介して送信し、光ディスク媒体に記録するビデオカメラ装置において、前記光ディスク装置は、前記光ディスク装置は、装置内に装填された光ディスクの最大回転速度を制御する回転速度制御手段と、前記インターフェイス手段を介して前記光ディスクを起動中であることを情報記録・再生装置に通知する起動中情報通知手段と、を備え、前記ビデオカメラ装置は、前記ハードディスク装置保護のために振動・衝撃・落下などを検出して保護動作を行う為の加速度センサ手段と、前記起動中情報通知手段により前記光ディスク装置が光ディスク媒体を起動中であることを検出した場合には、前記ハードディスク装置のヘッド待避を行うなどして保護状態とし、前記加速度センサの振動・衝撃・落下などを検出する閾値を変更することで、前記光ディスク装置に一定以上の振動が発生しており、かつ情報記録・再生装置が光ディスク装置に載置されているか、否かを検出する載置検出手段と、前記情報記録・再生装置が前記光ディスク装置上に載置されていると検出された場合には、警告メッセージを表示して記録・再生動作を一時停止する制御手段と、を有することを特徴とするものである。
【００３５】
また、本発明に記載の情報記録・再生装置による光ディスク装置の速度制御方法は、リムーバブル光ディスク媒体を記録再生する光ディスク装置とインターフェイス手段を介して接続し、音声・映像・データなどの情報を記録・再生する情報記録・再生装置において、前記光ディスク装置は、装置内に装填された光ディスクの最大回転速度を制御する回転速度制御手段を備え、情報記録・再生装置が光ディスク装置に載置されているか、否かを検出するステップと、前記検出結果に応じて前記光ディスク装置の回転速度制御手段の最大回転速度を変更する様前記インターフェイス手段を介して指令するステップと、を有することを特徴とするものである。
【００３６】
また、本発明に記載の情報記録・再生装置による光ディスク装置の速度制御方法は、リムーバブル光ディスク媒体を記録再生する光ディスク装置とインターフェイス手段を介して接続し、音声・映像・データなどの情報を記録・再生する情報記録・再生装置において、前記光ディスク装置は、光ディスクの回転速度を検出する回転速度検出手段と、装置内に装填された光ディスクが予め定めた回転速度で回転しているときの振動を検出して閾値と比較することにより振動量が一定以下となるよう制御を行う回転速度制御手段とを備え、情報記録・再生装置が光ディスク装置に載置されているか、否かを検出するステップと、前記検出結果に応じて前記光ディスク装置の回転速度制御手段の最大回転速度を変更する様前記インターフェイス手段を介して指令するステップと、を有することを特徴とするものである。
【００３７】
また、本発明に記載の情報記録・再生装置の制御方法は、リムーバブル光ディスク媒体を記録再生する光ディスク装置とインターフェイス手段を介して接続し、音声・映像・データなどの情報を記録・再生する情報記録・再生装置において、情報記録・再生装置が光ディスク装置に載置されているか、否かを検出するステップと、前記情報記録・再生装置が前記光ディスク装置上に載置されていると検出された場合には、警告メッセージを表示して記録・再生動作を一時停止するステップと、を有することを特徴とするものである。
【００３８】
また、本発明に記載の情報記録・再生装置による光ディスク装置の速度制御方法及び情報記録・再生装置の制御方法は、請求項１５から１７に記載の情報記録・再生装置による光ディスク装置の速度制御方法及び情報記録・再生装置の制御方法において、前記光ディスク装置内に装填されたリムーバブル光ディスク媒体内の音声・映像情報を再生すると共に、情報記録・再生装置内の記憶手段に記憶された音声・映像情報を光ディスク装置内のリムーバブル光ディスク媒体に記録または、再生する機能を有すること、を特徴とするものである。
【００３９】
また、本発明に記載の情報記録・再生装置による光ディスク装置の速度制御方法及び情報記録・再生装置の制御方法は、請求項１５から１７に記載の情報記録・再生装置による光ディスク装置の速度制御方法及び情報記録・再生装置の制御方法において、前記載置を検出するステップは、前記光ディスク装置の上面に設置されたセンサ手段により光ディスク装置が載置情報を検出し、その検出結果を前記インターフェイス手段を介して得ることにより載置を検出すること、を特徴とするものである。
【００４０】
また、本発明に記載の情報記録・再生装置による光ディスク装置の速度制御方法及び情報記録・再生装置の制御方法は、請求項１５から１７に記載の情報記録・再生装置による光ディスク装置の速度制御方法及び情報記録・再生装置の制御方法において、前記載置を検出するステップは、前記光ディスク装置の上面に設けた情報記録・再生装置を固定するための固定手段に、情報記録・再生装置を固定したことを検出する固定検出手段を設け、前記固定検出手段の検出結果を前記インターフェイス手段を介して得ることにより載置を検出すること、を特徴とするものである。
【００４１】
また、本発明に記載の情報記録・再生装置による光ディスク装置の速度制御方法及び情報記録・再生装置の制御方法は、請求項１５から１７に記載の情報記録・再生装置による光ディスク装置の速度制御方法及び情報記録・再生装置の制御方法において、前記載置を検出するステップは、前記光ディスク装置の上面に設けた情報記録・再生装置を前記光ディスク装置の上面に固定するとともに、前記インターフェイス手段の接続部を兼ねる固定手段に、情報記録・再生装置を固定することにより前記インターフェイス手段の接続が確立し、インターフェイス手段の接続確立をもって載置を検出すること、を特徴とするものである。
【００４２】
また、本発明に記載の情報記録・再生装置による光ディスク装置の速度制御方法及び情報記録・再生装置の制御方法は、請求項１５から１７に記載の情報記録・再生装置による光ディスク装置の速度制御方法及び情報記録・再生装置の制御方法において、前記光ディスク装置は、光ディスクの回転速度を検出する回転速度検出手段と、装置内に装填された光ディスクが予め定めた回転速度で回転しているときの振動を検出して閾値と比較することにより振動量が一定以下となるよう制御を行う回転速度制御手段とを備え、前記載置を検出するステップは、情報記録・再生装置に加わる加速度を検出するステップと、前記加速度の検出結果から前記光ディスク装置が振動を検出する光ディスクの回転速度での振動加速度に相当する特定の周波数成分を抽出するステップと、前記インターフェイス手段より光ディスク装置の回転速度検出手段の回転速度情報を得るステップと、前記抽出したディスク回転速度に相当する周波数成分を閾値と比較することにより、前記光ディスク装置に一定以上の振動が発生しており、かつ情報記録・再生装置が光ディスク装置に載置されているか、否かを検出するステップと、を含むことを特徴とするものである。
【００４３】
また、本発明に記載の情報記録・再生装置による光ディスク装置の速度制御方法及び情報記録・再生装置の制御方法は、請求項１５から１７に記載の情報記録・再生装置による光ディスク装置の速度制御方法及び情報記録・再生装置の制御方法において、前記光ディスク装置は、光ディスクの回転速度を検出する回転速度検出手段と、装置内に装填された光ディスクが予め定めた回転速度で回転しているときの振動を検出して閾値と比較することにより振動量が一定以下となるよう制御を行う回転速度制御手段とを備え、前記載置を検出するステップは、情報記録・再生装置に加わる加速度を検出するステップと、前記加速度の検出結果より現在の加速度の周波数または、周波数及びレベルを検出するステップと、前記検出手段の検出する加速度の周波数または、周波数及びレベルの変化により、前記光ディスク装置に一定以上の振動が発生しており、かつ情報記録・再生装置が光ディスク装置に載置されているか、否かを検出するステップと、を含むことを特徴とするものである。
【００４４】
また、本発明に記載の情報記録・再生装置による光ディスク装置の速度制御方法及び情報記録・再生装置の制御方法は、請求項１５から１７に記載の情報記録・再生装置による光ディスク装置の速度制御方法及び情報記録・再生装置の制御方法において、前記光ディスク装置は、光ディスクの回転速度を検出する回転速度検出手段と、装置内に装填された光ディスクが予め定めた１つ以上の回転速度で回転しているときの振動を検出して閾値と比較することにより振動量が一定以下となるよう制御を行う回転速度制御手段と、前記インターフェイス手段を介して前記光ディスクを起動中であることを情報記録・再生装置に通知する起動中情報通知手段と、を備え、前記載置を検出するステップは、前記情報記録・再生装置に加わる加速度信号を検出するステップと、前記加速度信号から前記光ディスク装置が振動値を検出する１つ以上の回転数に対応する周波数成分を抽出するステップと、前記光ディスク装置が装置内に装填されたリムーバブル光ディスク媒体を起動中であることを前記インターフェイス手段を介して検出するステップと、前記光ディスク媒体起動中の前記抽出した１つ以上の回転数に対応する周波数成分のそれぞれの最大値を検出するステップと、前記それぞれの最大値より前記光ディスク装置に一定以上の振動が発生しており、かつ情報記録・再生装置が光ディスク装置に載置されているか、否かを検出するステップと、を含むことを特徴とするものである。
【００４５】
また、本発明に記載のビデオカメラ装置による光ディスク装置の速度制御方法は、リムーバブル光ディスク媒体を記録再生する光ディスク装置とインターフェイス手段を介して接続し、光ディスク装置内に装填された光ディスクに記録された音声・映像情報を再生すると共に、装置内部に設けられたハードディスク記憶装置に記録した音声・映像情報を前記インターフェイス手段を介して送信し、光ディスク媒体に記録するビデオカメラ装置において、前記光ディスク装置は、装置内に装填された光ディスクの最大回転速度を制御する回転速度制御手段と、前記インターフェイス手段を介して前記光ディスクを起動中であることを情報記録・再生装置に通知する起動中情報通知手段と、を備え、前記ビデオカメラ装置は、通常動作時は前記ハードディスク装置保護のために搭載された加速度センサの検出結果により振動・衝撃・落下などを検出して保護動作を行うステップと、前記起動中情報通知手段により前記光ディスク装置が光ディスク媒体を起動中であることを検出した場合には、前記ハードディスク装置のヘッド待避を行うなどして保護状態とするステップと、前記加速度センサの振動・衝撃・落下などを検出する閾値を変更することで前記光ディスク装置に一定以上の振動が発生しており、かつ情報記録・再生装置が光ディスク装置に載置されているか、否かを検出するステップと、前記検出結果に応じて前記光ディスク装置の回転速度制御手段の最大回転速度を変更する様前記インターフェイス手段を介して指令するステップと、を有することを特徴とするものである。
【００４６】
また、本発明に記載のビデオカメラ装置による光ディスク装置の速度制御方法は、リムーバブル光ディスク媒体を記録再生する光ディスク装置とインターフェイス手段を介して接続し、光ディスク装置内に装填された光ディスクに記録された音声・映像情報を再生すると共に、装置内部に設けられたハードディスク記憶装置に記録した音声・映像情報を前記インターフェイス手段を介して送信し、光ディスク媒体に記録するビデオカメラ装置において、前記光ディスク装置は、光ディスクの回転速度を検出する回転速度検出手段と、装置内に装填された光ディスクが予め定めた１つ以上の回転速度で回転しているときの振動を検出して閾値と比較することにより振動量が一定以下となるよう制御を行う回転速度制御手段と、前記インターフェイス手段を介して前記光ディスクを起動中であることを情報記録・再生装置に通知する起動中情報通知手段と、を備え、前記ビデオカメラ装置は、通常動作時は前記ハードディスク装置保護のために搭載された加速度センサの検出結果により振動・衝撃・落下などを検出して保護動作を行うステップと、前記起動中情報通知手段により前記光ディスク装置が光ディスク媒体を起動中であることを検出した場合には、前記ハードディスク装置のヘッド待避を行うなどして保護状態とするステップと、前記加速度センサの振動・衝撃・落下などを検出する閾値を変更することで前記光ディスク装置に一定以上の振動が発生しており、かつ情報記録・再生装置が光ディスク装置に載置されているか、否かを検出するステップと、前記検出結果に応じて前記光ディスク装置の回転速度制御手段の最大回転速度を変更する様前記インターフェイス手段を介して指令するステップと、を有することを特徴とするものである。
【００４７】
また、本発明に記載のビデオカメラ装置の制御方法は、リムーバブル光ディスク媒体を記録再生する光ディスク装置とインターフェイス手段を介して接続し、光ディスク装置内に装填された光ディスクに記録された音声・映像情報を再生すると共に、装置内部に設けられたハードディスク記憶装置に記録した音声・映像情報を前記インターフェイス手段を介して送信し、光ディスク媒体に記録するビデオカメラ装置において、前記光ディスク装置は、前記光ディスク装置は、装置内に装填された光ディスクの最大回転速度を制御する回転速度制御手段と、前記インターフェイス手段を介して前記光ディスクを起動中であることを情報記録・再生装置に通知する起動中情報通知手段と、を備え、前記ビデオカメラ装置は、通常動作時は前記ハードディスク装置保護のために搭載された加速度センサの検出結果により振動・衝撃・落下などを検出して保護動作を行うステップと、前記起動中情報通知手段により前記光ディスク装置が光ディスク媒体を起動中であることを検出した場合には、前記ハードディスク装置のヘッド待避を行うなどして保護状態とするステップと、前記加速度センサの振動・衝撃・落下などを検出する閾値を変更することで前記光ディスク装置に一定以上の振動が発生しており、かつ情報記録・再生装置が光ディスク装置に載置されているか、否かを検出するステップと、前記検出結果により前記情報記録・再生装置が前記光ディスク装置上に載置されていると検出された場合には、警告メッセージを表示して記録・再生動作を一時停止するステップと、を有することを特徴とするものである。
【発明の効果】
【００４８】
以上の様に本発明によれば、情報記録・再生装置が光ディスク装置に載置されているか否かを検出してその結果に応じて光ディスク装置の最大回転速度を変更することで、適切な回転速度制御を行うことができるので、情報記録・再生装置が光ディスク装置に載置されている場合でも過大な振動が発生しない情報記録・再生装置を提供することができる。
【００４９】
また、本発明によれば、情報記録・再生装置が光ディスク装置に載置されているか否かを検出してその結果に応じて光ディスク装置が振動検出を行い最大回転速度を決定する基準を変更することで、適切な回転速度制御を行うことができるので、情報記録・再生装置が光ディスク装置に載置されている場合でも過大な振動が発生せず、振動が許容範囲内なのに不必要に回転速度を落とすことがない情報記録・再生装置を提供することができる。
【００５０】
また、本発明によれば、情報記録・再生装置が光ディスク装置に載置されているか否かを検出して情報記録・再生装置が前記光ディスク装置上に載置されていると検出された場合には、警告メッセージを表示して記録・再生動作を一時停止するので、情報記録・再生装置が光ディスク装置に載置されている場合でも光ディスク装置のディスク回転による振動が原因となる障害の発生を防止することができる情報記録・再生装置を提供することができる。
【００５１】
また、本発明によれば、ビデオカメラ装置が光ディスク装置に載置されているか否かを検出してその結果に応じて光ディスク装置の最大回転速度を変更することで、適切な回転速度制御を行うことができるので、ビデオカメラ装置が光ディスク装置に載置されている場合でも適切な回転速度制御を行うことができ、過大な振動が発生しないビデオカメラ装置を提供することができる。
【００５２】
また、本発明によれば、ビデオカメラ装置が光ディスク装置に載置されているか否かを検出してその結果に応じて光ディスク装置が振動検出を行い最大回転速度を決定する基準を変更することで、適切な回転速度制御を行うことができるので、ビデオカメラ装置が光ディスク装置に載置されている場合でも、過大な振動が発生せず、振動が許容範囲内なのに不必要に回転速度を落とすことがないビデオカメラ装置を提供することができる。
【００５３】
また、本発明によれば、ビデオカメラ装置が光ディスク装置に載置されているか否かを検出してビデオカメラ装置が前記光ディスク装置上に載置されていると検出された場合には、警告メッセージを表示して記録・再生動作を一時停止するので、ビデオカメラ装置が光ディスク装置に載置されている場合でも光ディスク装置のディスク回転による振動が原因となる障害の発生を防止することができるビデオカメラ装置を提供することができる。
【００５４】
また、本発明によれば、情報記録・再生装置が光ディスク装置に載置されているか否かを検出してその結果に応じて光ディスク装置の最大回転速度を変更することで、適切な回転速度制御を行うことができるので、情報記録・再生装置が光ディスク装置に載置されている場合でも適切な回転速度制御を行うことができ、過大な振動が発生しない情報記録・再生装置による光ディスク装置の速度制御方法を提供することができる。
【００５５】
また、本発明によれば、情報記録・再生装置が光ディスク装置に載置されているか否かを検出してその結果に応じて光ディスク装置が振動検出を行い最大回転速度を決定する基準を変更することで、適切な回転速度制御を行うことができるので、情報記録・再生装置が光ディスク装置に載置されている場合でも過大な振動が発生せず、振動が許容範囲内なのに不必要に回転速度を落とすことがない情報記録・再生装置による光ディスク装置の速度制御方法を提供することができる。
【００５６】
また、本発明によれば、情報記録・再生装置が光ディスク装置に載置されているか否かを検出して情報記録・再生装置が前記光ディスク装置上に載置されていると検出された場合には、警告メッセージを表示して記録・再生動作を一時停止するので、情報記録・再生装置が光ディスク装置に載置されている場合でも光ディスク装置のディスク回転による振動が原因となる障害の発生を防止することができる情報記録・再生装置の制御方法を提供することができる。
【００５７】
また、本発明によれば、ビデオカメラ装置が光ディスク装置に載置されているか否かを検出してその結果に応じて光ディスク装置の最大回転速度を変更することで、適切な回転速度制御を行うことができるので、ビデオカメラ装置が光ディスク装置に載置されている場合でも過大な振動が発生しないためのビデオカメラ装置による光ディスク装置の速度制御方法を提供することができる。
【００５８】
また、本発明によれば、ビデオカメラ装置が光ディスク装置に載置されているか否かを検出してその結果に応じて光ディスク装置が振動検出を行い最大回転速度を決定する基準を変更することで、適切な回転速度制御を行うことができるので、ビデオカメラ装置が光ディスク装置に載置されている場合でも過大な振動が発生せず、振動が許容範囲内なのに不必要に回転速度を落とすことがないビデオカメラ装置による光ディスク装置の速度制御方法を提供することができる。
【００５９】
また、本発明によれば、ビデオカメラ装置が光ディスク装置に載置されているか否かを検出してビデオカメラ装置が前記光ディスク装置上に載置されていると検出された場合には、警告メッセージを表示して記録・再生動作を一時停止するので、ビデオカメラ装置が光ディスク装置に載置されている場合でも光ディスク装置のディスク回転による振動が原因となる障害の発生を防止することができるビデオカメラ装置の制御方法を提供することができる。
【発明を実施するための最良の形態】
【００６０】
以下に本発明に記載の情報記録・再生装置、情報記録・再生装置による光ディスク装置の速度制御方法、ビデオカメラ装置、ビデオカメラ装置による光ディスク装置の速度制御方法の実施の形態を図面を用いて詳細に説明する。
【００６１】
（実施の形態１）
本明細書に記載の発明について図１、図２を用いて説明する。
図１は本発明を、ＵＳＢ接続光ディスク記録・再生装置にＵＳＢインターフェイス手段を用いて接続したハードディスク及びＳＤメモリカード記録型のビデオカメラ装置に適用した場合のブロック図、図２は本発明の動作を示すフローチャートである。
【００６２】
図１おいて、１０１は光ディスク記録・再生装置でたとえばＤＶＤ規格のディスクを記録再生可能なＤＶＤ記録再生装置などである。情報記録・再生装置はたとえば、ビデオカメラ装置１５０、携帯型音楽・映像再生装置などで、本実施の形態ではビデオカメラ装置１５０を例に説明を行う。インターフェイス手段は、ＵＳＢインターフェイス、ＩＥＥＥ１３９４インターフェイスなどの有線インターフェイスの他に、無線ＬＡＮインターフェイス、ブルーツゥース規格のインターフェイスなどが考えられる。本実施の形態ではＵＳＢインターフェイスを用いる場合を例に説明を行う。
【００６３】
１０２は光ディスクで、光ディスク記録・再生装置１０２内に装填されて、ターンテーブル１０３上に固定され、スピンドルモータ１０４にて所定の回転速度で回転する。１０５はスピンドルドライバで、スピンドルモータ１０４に電流を流して回転させる。１０６は回転速度制御手段で、スピンドルドライバ１０５を制御してスピンドルモータ１０４を所定の速度で回転させる。１０８は光ピックアップで、光ディスク１０２にレーザ光を照射してデータの再生または、記録を行う。１０７はＣＰＵ（Ａ）で、光ディスク装置１０１の各種制御を内蔵された制御ファームウエアに従って行う。１１０はＡＴＡＰＩインターフェイス、１１１はＡＴＡＰＩ−ＵＳＢインターフェイス変換回路、１１２はＵＳＢインターフェイスで、一般的な光ディスク記録再生装置のインターフェイスであるＡＴＡＰＩインターフェイス１１０をＡＴＡＰＩ−ＵＳＢインターフェイス変換回路１１１にて、ＵＳＢインターフェイス１１２に変換する。変換されたインターフェイスはＵＳＢ接続部（Ａ）１１３より外部の機器に接続される。１１４は載置センサで、光ディスク記録・再生装置１０１の上部にビデオカメラ装置が載置されているか否かを検出する。
【００６４】
ビデオカメラ装置１５０において、１５１は映像撮影用のレンズである。レンズ１５１を介して撮像素子１５３に投影された映像情報は、デジタルデータに変換されて画像処理回路１５４に送られる。画像処理回路１５４にて映像データは所定のフォーマットに変換されて、ＣＰＵ（Ｂ）１５９内の、記録再生制御回路１５６に送られる。同時にマイクロフォン１５２にて取得された音声情報は、音声処理回路１５５にてデジタルデータに変換されて、所定のフォーマットに変換されたのち、同様に記録再生処理回路１５６に送られる。映像情報、音声情報は記録再生処理回路にて所定のフォーマットに従って予め指定された、ハードディスク装置１６３またはＳＤカード１６２へと記録、保存される。また、撮影中の映像情報は、液晶モニタ１５７に同時に表示される。また、ＳＤカード１６２またはハードディスク装置１６３に保存された映像、音声情報は、記録再生制御回路１５６にて音声、映像情報に戻されて映像情報は液晶モニタ１５７、音声情報はスピーカ１５８にて再生されるか、または外部映像音声出力１６５を介して外部のテレビジョン装置などに出力することも可能である。１６４はＵＳＢインターフェイス（Ｂ）で、ＵＳＢ接続部（Ｂ）１６６を介して外部の記憶装置との接続を行う。１６０は載置検出手段で、光ディスク記録・再生装置１０１上にビデオカメラ装置１５０載置されていることを検出するためのものである。載置検出手段１６０は光ディスク記録・再生装置に設けられた載置センサ１１４の検出結果を、ＵＳＢインターフェイスを介して得ることで動作する。
【００６５】
ビデオカメラ装置１５０が載置されたことを検出し、ＵＳＢインターフェイスを介して載置情報をビデオカメラ装置１５０で受信する方法などが可能である。速度制御手段１６１は、ＵＳＢインターフェイスを介して接続された光ディスク記録・再生装置１０１に命令を送り記録・再生速度を制御する。
次に、本発明の具体的動作について図２のフローチャートを用いて説明する。光ディスク記録・再生装置１０１と、ビデオカメラ装置１５０はそれぞれのＵＳＢ接続部（Ａ）１１３、ＵＳＢ接続部（Ｂ）１６６に接続されたＵＳＢケーブル１８０にて接続される。ステップ２０１にて、接続された光ディスク記録・再生装置１０１に光ディスク１０２が装填されると、ステップ２０２にて光ディスク記録・再生装置１０１は光ディスク１０２を起動する処理に入る。起動処理は、光ディスクの種類の判別、ディスク毎の最適な記録、再生動作のための学習、ディスクの管理情報の読み取りなどの処理が含まれる。次に、ステップ２０３にて装填された光ディスクの種類に応じて、対応する記録、再生速度がテーブルより読み出されてＣＰＵ（Ａ）１０７内のメモリに設定される。
【００６６】
本実施の形態では、８倍速記録が可能な未記録のＤＶＤ−Ｒディスクが装填された場合で、光ディスク記録・再生装置が、８倍速ＣＡＶ、４倍速ＣＡＶ、２倍速ＣＡＶのいずれかで記録及び再生可能な場合を例に説明する。ＤＶＤ―Ｒ規格のディスクは、線速度一定のＣＬＶフォーマットでＷＯＢＢＬＥと呼ばれる案内溝と記録動作のためのアドレス情報が形成されているが、本実施の形態の光ディスク記録・再生装置１０１の記録動作は最外周付近で８倍速、４倍速、２倍速となるような回転速度一定のＣＡＶ動作での記録に対応する。また、記録済みのディスクである場合も同様に最外周付近で８倍速、４倍速、２倍速となるような回転速度一定のＣＡＶで再生を行うことに対応する。
【００６７】
一方、ビデオカメラ装置１５０は、光ディスク記録・再生装置１０１がステップ２０２の起動動作中であることをＵＳＢインターフェイスを介して知ることが出来る。ステップ２５１にて、光ディスク記録・再生装置１０１の起動処理が完了したかどうかをチェックする。起動処理が完了すると、ステップ２５２にて載置検出手段１６０を動作させて、ビデオカメラ装置が光ディスク記録・装置上に載置されているかどうかを検出する。具体的には、光ディスク記録・再生装置１０１に設置された載置センサ１１４の検出結果をＵＳＢインターフェイスを介して、問い合わせを行いその検出結果により検出動作を行う。
【００６８】
次に、ステップ２５３にて、起動処理で設定された記録・再生速度テーブルをＵＳＢインターフェイスを介して光ディスク記録・再生装置１０１より取得する。そして、ステップ２５４にて載置されているか否かで分岐を行い、載置されている場合にはステップ２５５にて、光ディスク１０２の回転による光ディスク記録・再生装置１０１の振動による影響を回避する為に最大記録速度及び最大再生速度を４倍速ＣＡＶに制限する様ＵＳＢインターフェイスを介して、光ディスク記録・再生装置１０１に指令を出す。載置されていない場合は最初に光ディスクの種類毎に設定された記録再生速度テーブルに従って、最大８倍速ＣＡＶにて記録再生動作を行うことが可能となる。
【００６９】
光ディスクへ１０２の記録動作は、記録命令と共に、事前にハードディスク装置１６３または、ＳＤメモリカード１６２内に保存された映像・音声データをＵＳＢインターフェイスを介して、光ディスク記録・再生装置１０１に送信さする。回転制御手段１０６は、記録速度テーブルに従って記録速度を設定し、設定された記録速度に合った回転速度でスピンドルドライバ１０５を用いてスピンドルモータ１０４を回転制御すると共に、記録再生制御回路１０９を介して光ピックアップ１０８に記録信号を適切なタイミングで供給し、光ディスク１０２に記録動作を行う。
【００７０】
光ディスク１０２よりの再生動作もまた同様に、光ディスク１０２に記録された映像、音声情報は、再生速度テーブルに従って回転速度制御手段が再生速度を設定し、設定された再生速度に合った回転速度でスピンドルドライバ１０５を用いてスピンドルモータ１０４を回転制御すると共に、光ピックアップ１０８にて読み取られた光ディスク１０２上の信号を記録再生制御回路１０９にてデコードし、ＵＳＢインターフェイスを介してビデオカメラ装置１５０に送信する。受け取った映像音声データをビデオカメラ装置は記録再生制御回路１５６にて映像情報と音声情報に変換し、液晶モニタ１５７に映像情報を、スピーカ１５８より音声情報を出力する。また、外部映像音声出力１６５、たとえばコンポジットビデオ出力端子と、音声出力端子や、ＨＤＭＩ映像音声出力端子などを介して外部モニタやテレビジョン装置に出力することも可能である。
【００７１】
尚、本実施の形態では載置検出手段１６０を光ディスク記録・再生装置１０１の上面に設けた載置センサ１１４にて検出し、ＵＳＢインターフェイスを介してその情報をビデオカメラ装置１５０にて受信する方法を例に説明したが、これ以外の方法でもビデオカメラ装置１５０が光ディスク記録・再生装置の上面に載置されていることを検出できれば同様に実施可能である。また、載置検出を行うタイミングに関しても、載置検出を行う方法に応じて光ディスク１０２の起動処理前後などどのタイミングで行っても同様に実施可能である。
【００７２】
以上の様に本実施の形態に記載の発明によれば、情報記録・再生装置が光ディスク装置に載置されているか否かを検出してその結果に応じて光ディスク装置の最大回転速度を変更することで、適切な回転速度制御を行うことができるので、情報記録・再生装置が光ディスク装置に載置されている場合でも過大な振動が発生しない情報記録・再生装置及び情報記録・再生装置による光ディスク記録・再生の速度制御方法、ビデオカメラ装置及びその制御方法を提供することができる。
【００７３】
また、過大な振動が発生した場合には光ディスク装置自体の動作が不安定になったり、処理速度が低下したり、最悪の場合動作不能に陥ってしまうこともあるが、本実施の形態に記載の発明によればこのような不具合を防止することが出来るという効果も有する。
【００７４】
また、情報記録・再生装置を光ディスク記録再生装置上に載置した状態で過大な振動が発生した場合には、振動により情報記録・再生装置が移動したり落下したりする可能性があるが本実施の形態に記載の発明によればこのような不具合を防止することが出来るという効果も有する。
【００７５】
また、特に固定ディスク装置を搭載した情報記録・再生装置では過大な振動が発生した場合には、その振動の影響により固定ディスクへの記録・再生速度が低下したり最悪の場合動作不能に陥ってしまうこともあるが本実施の形態に記載の発明によればこのような不具合を防止することが出来るという効果も有する。
【００７６】
（実施の形態２）
次に、本明細書に記載の発明について図３、図４、図５を用いて説明する。
【００７７】
図３は本発明を、ＵＳＢ接続光ディスク記録・再生装置にＵＳＢインターフェイス手段を用いて接続したハードディスク及びＳＤメモリカード記録型のビデオカメラ装置に適用した場合のブロック図、図４は本発明の動作を示すフローチャート、図５は光ディスク記録再生装置と本実施の形態に記載のビデオカメラ装置のインターフェイス手段の接続部と接続方法を示す斜視図である。
【００７８】
図３の説明に関しては、実施の形態１と同一である部分については重複するので説明を省略する。３０１は回転速度検出手段で、スピンドルドライバ１０５より出力されるスピンドルモータ１０４の電極数と回転に同期したＦＧと呼ばれる信号をもとに、回転速度を検出する。光ディスク記録・再生装置側のＵＳＢ接続部（Ａ）１１３と、ビデオカメラ装置側のＵＳＢ接続部（Ｂ）１６６間の接続は、図５に示すように、ＵＳＢ接続部（Ａ）１１３は光ディスク記録・再生装置の上面に設けられたビデオカメラ装置固定部５０１に設置されている。
【００７９】
一方ＵＳＢ接続部（Ｂ）１６６もビデオカメラ装置１５０の底面に設けられた光ディスク記録・再生装置接合部５０２に設置されていて、光ディスク記録・再生装置１０１上にビデオカメラ装置１５０を固定すると、同時にＵＳＢ接続部（Ａ）１１３とＵＳＢ接続部（Ｂ）１１６の物理的接続が確立される構造となっている。そして、ビデオカメラ装置１５０内の載置検出手段１６０は、光ディスク記録・再生装置１０１とのＵＳＢ接続が確立すると載置されたことを検出する。
【００８０】
次に、本発明の具体的動作について図４のフローチャートを用いて説明する。
ビデオカメラ装置１５０は、ステップ４５１にてビデオカメラ装置１５０が光ディスク記録・再生装置１０１に載置されているかどうかを、ＵＳＢインターフェイスを介して両者の接続が確立しているかどうかを元に検出する。そして、ステップ４５２にて載置されているか否かで分岐を行い、載置されている場合にはステップ４５３にて、光ディスク記録・再生装置１０１にＵＳＢインターフェイスを介してステップ４５３にて振動検出閾値を変更する命令を送信する。
【００８１】
次に光ディスク記録・再生装置の動作について説明する。ステップ４０１にて、接続された光ディスク記録・再生装置１０１に光ディスク１０２が装填されると、ステップ４０２にて光ディスク記録・再生装置１０１は光ディスク１０２を起動する処理に入る。起動処理は、光ディスクの種類の判別、ディスク毎の最適な記録、再生動作のための学習、ディスクの管理情報の読み取りなどの処理と共に装填された光ディスク１０２を所定の速度で回転させた状態での振動量を測定して振動検出値を検出する処理を含んでいる。
【００８２】
振動検出の方法としては、光ディスク記録・再生装置内１０１に加速度センサを設置してその出力をＡ／Ｄ変換して用いる方法や、ディスク回転状態でトラッキングサーボとＯＦＦとし、その際のトラック横断数を１回転毎に測定して演算し、振動検出値を算出する方法などが一般的である。
【００８３】
次に、ステップ４０３にて装填された光ディスクの種類に応じて、対応する記録、再生速度がテーブルより読み出されるＣＰＵ（Ａ）１０７内のメモリに一時設定される。次に、ステップ４０４にて、振動検出の閾値を変更する命令が、ビデオカメラ装置１５０より出されているかどうかのフラグ確認を行う。
【００８４】
閾値変更フラグが立っている場合には、ステップ４０５にて振動検出の閾値変更を行う。この閾値は、予めビデオカメラ装置１５０が光ディスク記録・再生装置１０１のビデオカメラ装置固定部５０１に固定された状態で、設定した最適な閾値である。次に、ステップ４０６にて、検出された振動検出値と予め定めた閾値との比較を行い、振動が大きいと判断された場合にはステップ４０７にて記録・再生速度テーブルを変更して最大記録・再生速度の制限を行う。
【００８５】
本実施の形態では、８倍速記録が可能な未記録のＤＶＤ−Ｒディスクが装填された場合で、光ディスク記録・再生装置が、８倍速ＣＡＶ、４倍速ＣＡＶ、２倍速ＣＡＶのいずれかで記録可能な場合を例に説明する。ＤＶＤ―Ｒ規格のディスクは、線速度一定のＣＬＶフォーマットでＷＯＢＢＬＥと呼ばれる案内溝と記録動作のためのアドレス情報が形成されているが、本実施の形態の光ディスク記録・再生装置１０１の記録動作は最外周付近で８倍速、４倍速、２倍速となるような回転速度一定のＣＡＶ動作での記録に対応する。
【００８６】
また、記録済みのディスクである場合も同様に最外周付近で８倍速、４倍速、２倍速となるような回転速度一定のＣＡＶで再生を行うことに対応する。そして、振動が大きいと判断された場合には、記録再生速度テーブルを変更して、記録・再生速度共に４倍ＣＡＶに制限する。
【００８７】
光ディスクへ１０２の記録動作、光ディスクよりの再生動作に関しては実施の形態１と同一であるので説明を省略する。
【００８８】
尚、本実施の形態では載置検出手段１６０をビデオカメラ装置１５０側でＵＳＢ接続が確立したことをもとに検出する例を説明したが、光ディスク記録再生装置１０１の上面に設けられたビデオカメラ装置固定部５０１にスイッチなどを設けてビデオカメラ装置１５０が固定されたことを検出し、ＵＳＢインターフェイスを介して検出結果を得る方法や、ビデオカメラ装置１５０の光ディスク記録・再生装置接合部５０２にスイッチなどを設けて光ディスク記録・再生装置１０１上に載置されたことを直接検出する方法でも、また他の方法で載置を検出する場合でも同様に実施可能である。
【００８９】
以上の様に本実施の形態に記載の発明によれば、情報記録・再生装置が光ディスク装置に載置されているか否かを検出してその結果に応じて光ディスク装置の振動検出値を変更することで、適切な回転速度制御を行うことができるので、過大な振動が発生したり、振動が許容範囲内なのに不必要に回転速度を落とすことがない情報記録・再生装置及び情報記録・再生装置による光ディスク記録・再生の速度制御方法、ビデオカメラ装置及びその制御方法を提供することができる。
【００９０】
また、過大な振動が発生した場合には光ディスク装置自体の動作が不安定になったり、処理速度が低下したり、最悪の場合動作不能に陥ってしまうこともあるが、本実施の形態に記載の発明によればこのような不具合を防止することが出来るという効果も有する。
【００９１】
また、情報記録・再生装置を光ディスク記録再生装置上に載置した状態で過大な振動が発生した場合には、振動により情報記録・再生装置が移動したり落下したりする可能性があるが本実施の形態に記載の発明によればこのような不具合を防止することが出来るという効果も有する。
【００９２】
また、特に固定ディスク装置を搭載した情報記録・再生装置では過大な振動が発生した場合には、その振動の影響により固定ディスクへの記録・再生速度が低下したり最悪の場合動作不能に陥ってしまうこともあるが本実施の形態に記載の発明によればこのような不具合を防止することが出来るという効果も有する。
【００９３】
（実施の形態３）
次に、本明細書に記載の発明について図６、図７を用いて説明する。
【００９４】
図６は本発明を、ＵＳＢ接続光ディスク記録・再生装置にＵＳＢインターフェイス手段を用いて接続したハードディスク及びＳＤメモリカード記録型のビデオカメラ装置に適用した場合のブロック図、図７は本発明の動作を示すフローチャートである。
【００９５】
図６の説明に関しては、実施の形態１、実施の形態２と同一である部分については重複するので説明を省略する。６０１は加速度センサで、ビデオカメラ装置１５０に加わる加速度をアナログ信号として出力する。加速度センサは、ハードディスク装置１６３に保護動作検出用として搭載されている場合があるのでそれを流用しても良いし、ビデオカメラ装置１５０側に搭載してもよい。
【００９６】
６０２はフィルタ手段で、加速度センサ６０１の出力信号のうち、光ディスク記録・再生装置１０１が振動検出動作を行う回転速度に相当する周波数成分を抽出する帯域通過フィルタとなっている。フィルタ手段は、アナログのフィルタを用いても良いし、ビデオカメラ装置１５０内の信号処理用ＤＳＰにて構成可能であれば、そちらでデジタルフィルタを構成して用いても良い。
【００９７】
次に、本発明の具体的動作について図７のフローチャートを用いて説明する。
ビデオカメラ装置１５０は、ステップ７０１にて、光ディスク記録・再生装置１０１が光ディスク１０２を装填して起動処理中であるかどうかを、ＵＳＢインターフェイスを介して検出する。起動処理中である場合には、ステップ７０２にて、加速度センサ６０１の出力をフィルタ手段６０２を介して、前記した周波数成分を抽出し、その信号の最大レベルをピークホールド処理して、引き続き起動処理が終了するまで繰り返す。起動処理が終了すると、ステップ７０３の載置判別処理にて、起動処理中にピークホールドした最大レベルを予め定めた閾値と比較して、光ディスク記録再生装置１０１が起動処理中に行った振動検出処理中における回転速度での振動レベルが一定以上で、ビデオカメラ装置１５０に伝搬されているかどうかを検出し、その結果をもってビデオカメラ装置１５０が光ディスク記録・再生装置１０１上に載置されているか否かを検出する。
【００９８】
載置されていることを検出した場合には、ステップ７０４にて、ビデオカメラ装置１５０の液晶モニタ１５７上に、ビデオカメラ１５０が載置されている警告メッセージを出して記録・再生動作を行わない様にする。そののち、ステップ７０５にて光ディスク記録・再生装置１０１に光ディスクを排出する様排出指令をＵＳＢインターフェイスを介して出力し、光ディスク記録・再生装置に光ディスクが再装填されるまで動作を停止し、載置状態が解除されるまで同様の動作を繰り返す。ステップ７０３にて載置されていないと判断した場合には通常動作となり、光ディスクへ１０２の記録動作、光ディスクよりの再生動作を行うが、これらの動作に関しては実施の形態１と同一であるので説明を省略する。
【００９９】
尚、本実施の形態では、光ディスク記録・再生装置１０１が振動検出を行う回転速度が１個である場合を例に説明したが、複数の回転速度で振動検出を行う場合でも同様に複数個の回転速度に対応するフィルタ手段を設け、それぞれの周波数で個別にピークホールドを行って個別に設定した閾値と比較することで実施可能である。
【０１００】
また、本実施の形態では起動処理中のフィルタ手段６０２の出力をピークホールドする場合を例に説明したが、光ディスク記録・再生装置１０１が振動検出を行うために予め定めた回転速度で光ディスク１０２を回転させている期間を検出して、その間のフィルタ手段６０２の出力を得て閾値と比較することでも同様に実施可能である。
【０１０１】
また、本実施の形態ではフィルタ手段６０２は予め定めた周波数の信号を通過させる帯域通過フィルタで構成する場合を例に説明したが、これをＦＦＴなどの手法を用いて、加速度センサの出力信号のうち、現在最大となっているレベルを持つ周波数成分を抽出して、その周波数、レベルを検出し、その周波数及びレベルの変化が光ディスク記録・再生装置１０１が光ディスク１０２を起動する際の特有の変化、たとえば振動検出を行うディスク回転速度に相当する周波数で一定時間回転速度の変化を停止するといった動作をもとに載置を検出することでも同様に実施可能である。
【０１０２】
また他の方法で載置を検出する場合でも同様に実施可能である。
【０１０３】
以上の様に本実施の形態に記載の発明によれば、情報記録・再生装置が光ディスク装置に載置されているか否かを検出して情報記録・再生装置が前記光ディスク装置上に載置されていると検出された場合には、警告メッセージを表示して記録・再生動作を一時停止するので、情報記録・再生装置が光ディスク装置に載置されている場合でも光ディスク装置のディスク回転による振動によるが原因となる障害の発生を防止することができる情報記録・再生装置及び情報記録・再生装置による光ディスク記録・再生の速度制御方法、ビデオカメラ装置及びその制御方法を提供することができる。
【０１０４】
また、過大な振動が発生した場合には光ディスク装置自体の動作が不安定になったり、処理速度が低下したり、最悪の場合動作不能に陥ってしまうこともあるが、本実施の形態に記載の発明によればこのような不具合を防止することが出来るという効果も有する。
【０１０５】
また、情報記録・再生装置を光ディスク記録再生装置上に載置した状態で過大な振動が発生した場合には、振動により情報記録・再生装置が移動したり落下したりする可能性があるが、本実施の形態に記載の発明によればこのような不具合を防止することが出来るという効果も有する。
【０１０６】
また、特に固定ディスク装置を搭載した情報記録・再生装置では過大な振動が発生した場合には、その振動の影響により固定ディスクへの記録・再生速度が低下したり最悪の場合動作不能に陥ってしまうこともあるが本実施の形態に記載の発明によればこのような不具合を防止することが出来るという効果も有する。
【０１０７】
また、特に固定ディスク装置に保護動作検出用として搭載された加速度センサを用いて載置検出を行う場合には、追加の加速度センサなどの載置検出の為の装置を必要とせず、より低コストで本実施の形態に記載の発明を実施することができるという効果も有する。
【０１０８】
また、情報記録・再生装置側に搭載された加速度センサなどを用いて光ディスク記録再生装置から載置された情報記録・再生装置に伝搬される振動による加速度などを検出して載置検出を行う場合には、単に載置されているか否かを検出して警告表示を行う場合と比較して、光ディスク記録再生装置にディスク回転による振動が発生しており、情報記録再生装置の動作に障害が発生する可能性がある場合にのみ警告表示を行うことができるという効果も有する。
【０１０９】
（実施の形態４）
次に、本明細書に記載の発明について図８、図９を用いて説明する。
【０１１０】
図８は本発明を、ＵＳＢ接続光ディスク記録・再生装置にＵＳＢインターフェイス手段を用いて接続したハードディスク及びＳＤメモリカード記録型のビデオカメラ装置に適用した場合のブロック図、図９は本発明の動作を示すフローチャートである。
【０１１１】
図８の説明に関しては、実施の形態１、実施の形態２、実施の形態３と同一である部分については重複するので説明を省略する。８０１はハードディスク装置１６３を落下などによる衝撃から保護する為に設けられた加速度センサである。加速度センサ８０１の出力は比較手段８０２に接続され、予め設定したレベルを超える信号が比較手段８０２に出力されると、ハードディスク装置１６３はヘッドをディスク上から待避させ、外部からの衝撃よりヘッドのディスクへの衝突を防止して保護状態となる。
【０１１２】
次に、本発明の具体的動作について図９のフローチャートを用いて説明する。
ビデオカメラ装置１５０は、ステップ９０１にて、光ディスク記録・再生装置１０１が光ディスク１０２を装填して起動処理を開始したかどうか、ＵＳＢインターフェイスを介して検出する。起動処理が開始されれば、ステップ９０２にて、ハードディスク装置１６３のヘッドを待避させて保護状態とし、比較手段８０２の閾値をハードディスク装置１６３を保護する為の値から、ビデオカメラ装置１５０が光ディスク記録・再生装置１０１上に載置されているか否かを検出する為に予め設定した最適な値に変更する。そして、ステップ９０３にて載置検出処理を行う。載置検出処理は振動センサの出力を閾値と比較して起動中処理中に一定時間以上閾値を超えた場合には、光ディスク記録・再生装置１０１に一定以上の振動が発生しており、かつ載置されていると判断する方法などがある。続いて、ステップ９０５にて起動処理が継続中であるかどうかを確認して、起動処理中は載置検出処理を継続する。起動処理が完了すると、ステップ９０６にて、まず比較手段９０２の閾値をハードディスク装置１６３の保護の為の元の閾値に戻し、そののちヘッドの待避状態を解除する。起動処理が終了すると、ステップ９０７にて、起動処理中に載置を検出したか否かを確認する。載置されていることを検出した場合には、ステップ９０８にて、ビデオカメラ装置１５０の液晶モニタ１５７上に、ビデオカメラ１５０が載置されている警告メッセージを出して記録・再生動作を行わない様にする。そののち、ステップ９０９にて光ディスク記録・再生装置１０１に光ディスクを排出する様排出指令をＵＳＢインターフェイスを介して出力し、光ディスク記録・再生装置１０１に光ディスクが再装填されるまで動作を停止し、載置状態が解除されるまで同様の動作を繰り返す。ステップ９０７にて載置されていないと判断した場合には通常動作となり、光ディスクへ１０２の記録動作、光ディスクよりの再生動作を行うが、これらの動作に関しては実施の形態１と同一であるので説明を省略する。
【０１１３】
また、本実施の形態では起動処理中のフィルタ手段６０２の出力を常に監視する場合を例に説明したが、光ディスク記録・再生装置１０１が振動検出を行うために予め定めた回転速度で光ディスク１０２を回転させている期間を検出して、その間のみ載置検出処理を行う場合でも同様に実施可能である。
【０１１４】
また他の方法で載置を検出する場合でも同様に実施可能である。
また、本実施の形態では、載置を検出した場合にはビデオカメラ装置１５０の液晶画面に警告を表示して、動作を停止する場合を例に説明したが、実施の形態１に示したように、光ディスク記録・再生装置１０１の記録再生速度を制限する方法、実施の形態２に示したように光ディスク記録・再生装置１０１が振動検出を行う閾値を変更する方法でも同様に実施可能である。
【０１１５】
以上の様に本実施の形態に記載の発明によれば、情報記録・再生装置が光ディスク装置に載置されているか否かを検出してその結果に応じて光ディスク装置の振動検出値を変更することで、適切な回転速度制御を行うことができるので、過大な振動が発生したり、振動が許容範囲内なのに不必要に回転速度を落とすことがない情報記録・再生装置及び情報記録・再生装置による光ディスク記録・再生の速度制御方法、ビデオカメラ装置及びその制御方法を提供することができる。
【０１１６】
また、過大な振動が発生した場合には光ディスク装置自体の動作が不安定になったり、処理速度が低下したり、最悪の場合動作不能に陥ってしまうこともあるが、本実施の形態に記載の発明によればこのような不具合を防止することが出来るという効果も有する。
【０１１７】
また、情報記録・再生装置を光ディスク記録再生装置上に載置した状態で過大な振動が発生した場合には、振動により情報記録・再生装置が移動したり落下したりする可能性があるが本実施の形態に記載の発明によればこのような不具合を防止することが出来るという効果も有する。
【０１１８】
また、特に固定ディスク装置を搭載した情報記録・再生装置では過大な振動が発生した場合には、その振動の影響により固定ディスクへの記録・再生速度が低下し、最悪の場合動作不能に陥ってしまうこともあるが、本実施の形態に記載の発明によればこのような不具合を防止することが出来るという効果も有する。
【０１１９】
また、固定ディスク装置に保護動作検出用として搭載された加速度センサを用いて載置検出を行うので、追加の加速度センサなどの載置検出の為の装置を必要とせず、より低コストで本実施の形態に記載の発明を実施することができるという効果も有する。
【産業上の利用可能性】
【０１２０】
本発明にかかる情報記録・再生装置及び情報記録・再生装置による光ディスク記録・再生の速度制御方法、ビデオカメラ装置及びその制御方法は、情報記録・再生装置が、光ディスク装置に載置されているか否かを検出して、その結果に応じて光ディスク装置の最大回転速度を変更することで、適切な回転速度制御を行うことができるので、情報記録・再生装置が光ディスク装置に載置されている場合でも過大な振動が発生することがない効果を有し、ビデオカメラ装置などの情報記録・再生装置の分野等に有効である。
【図面の簡単な説明】
【０１２１】
【図１】本発明を実施の形態１のＵＳＢ接続光ディスク記録・再生装置にＵＳＢインターフェイス手段を用いて接続したハードディスク及びＳＤメモリカード記録型のビデオカメラ装置に適用した場合のブロック図
【図２】本発明の実施の形態１の動作を示すブロック図
【図３】本発明を実施の形態２のＵＳＢ接続光ディスク記録・再生装置にＵＳＢインターフェイス手段を用いて接続したハードディスク及びＳＤメモリカード記録型のビデオカメラ装置に適用した場合のブロック図
【図４】本発明の実施の形態２の動作を示すブロック図
【図５】光ディスク記録再生装置と本実施の形態に記載のビデオカメラ装置のインターフェイス手段の接続部と接続方法を示す斜視図
【図６】本発明を実施の形態３のＵＳＢ接続光ディスク記録・再生装置にＵＳＢインターフェイス手段を用いて接続したハードディスク及びＳＤメモリカード記録型のビデオカメラ装置に適用した場合のブロック図
【図７】本発明の実施の形態３の動作を示すブロック図
【図８】本発明を実施の形態４のＵＳＢ接続光ディスク記録・再生装置にＵＳＢインターフェイス手段を用いて接続したハードディスク及びＳＤメモリカード記録型のビデオカメラ装置に適用した場合のブロック図
【図９】本発明の実施の形態４の動作を示すブロック図
【符号の説明】
【０１２２】
１０１：光ディスク記録・再生装置
１０２：光ディスク記録
１０３：ターンテーブル 
１０４：スピンドルモータ
１０５：スピンドルドライバ
１０６：回転速度制御手段
１０７：ＣＰＡ（Ａ）
１０８：光ピックアップ
１０９：記録再生制御回路
１１０：ＡＴＡＰＩＰインターフェイス
１１１：ＡＴＡＰＩ−ＵＳＢインターフェイス変換回路
１１２：ＵＳＢインターフェイス（Ａ）
１１３：ＵＳＢ接続部（Ａ）
１５０：ビデオカメラ装置
１５１：レンズ
１５２：マイクロフォン
１５３：撮像素子
１５４：画像処理回路
１５５：音声処理回路
１５６：記録再生制御回路
１５７：液晶モニタ
１５８：スピーカ
１５９：ＣＰＵ（Ｂ）
１６０：載置検出手段
１６１：速度制御手段
１６２：ＳＤカード
１６３：ハードディスク装置
１６４：ＵＳＢインターフェイス（Ｂ）
１６５：外部映像音声出力
１６６：ＵＳＢ接続部（Ｂ）
１８０：ＵＳＢケーブル
３０１：回転速度検出手段
５０１：ビデオカメラ装置固定部
５０２：光ディスク記録・再生装置接合部
６０１：加速度センサ
６０２：フィルタ手段
８０１：加速度センサ
８０２：比較手段
【図１】
2010033640.tif 000003
【図２】
2010033640.tif 000004
【図３】
2010033640.tif 000005
【図４】
2010033640.tif 000006
【図５】
2010033640.tif 000007
【図６】
2010033640.tif 000008
【図７】
2010033640.tif 000009
【図８】
2010033640.tif 000010
【図９】
2010033640.tif 000011